(57)【要約】【課題】  照明器具用スイッチ装置の引き紐の長さを用途に合わせて調整でき、子供でも簡単に、安全に操作でき、シンプルな構造で費用的にも負担が少なく、且つ、見栄えの良い引き紐操作装置を提供することにある。【解決手段】  上記課題を解決するため、この発明は、定滑車と動滑車に掛けた紐とを組み合わせた滑車のしくみを活用し、複数の動滑車を使用することにより、摘み部と定滑車間の引き紐の長さを数倍にすることがで、引き紐の長さを十分にとることができ、布団に入った後に、照明の点灯、消灯の操作が可能な十分な長さを得られる。【選択図】  図１
2006236722.tif 000002
【特許請求の範囲】
【請求項１】
照明器具等のスイッチ装置を引き紐で操作する引き紐操作装置において、照明用の引き紐に連結環を介し、定滑車を有する上部定滑車部A連結し、動滑車を有する下部動滑車部Bを引き紐３で連結、保持する構造で形成し、定滑車と動滑車に掛けた紐とを組み合わせた滑車のしくみを活用し、引き紐の末端に接続される摘み部Cを、引くことにより引き紐３の長さを伸ばし、下部動滑車部Bを引くことにより引き紐３の長さを短くできることを特徴とする引き紐操作部材。
【発明の詳細な説明】
【技術分野】
【０００１】
本発明は、壁面、天井等に取り付けられた照明装置等の引き紐操作部材に係わるものである。
【背景技術】
【０００２】
従来、照明器具用スイッチ装置は開閉器に、ひもをつけ、引く操作により行われていた。そしてこの操作を行い易くするため、垂下する引き紐の長さを調整可能にした引き紐装置のものが知られている。
【０００３】
しかし、この引き紐装置の引き紐の長さが十分でなく、調整範囲が狭いため、寝る前に布団に入って本などを読み終わった後、立ち上がって消さなければならなかった。
【０００４】
【特許文献１】実開平  ６−２１１２９号公報（第２頁、図１，２）              特開２００４−９５３６７号公報（第１０頁、図３）
【発明の開示】
【発明が解決しようとする課題】
【０００５】
従来の照明器具用スイッチ装置は開閉器に、ひもをつけ、引く動作により行われているこの操作を行い易くするため、垂下する引き紐に引き紐の長さを調整可能にした引き紐装置を取付けたものが知られている。しかし、この引き紐装置の引き紐の長さが短く、調整範囲が狭いため、寝る前に布団に入って本などを読み終わった後、引き紐の長さ不十分なため立ち上がって操作しなければならなかった。それを解消するため、スイッチ装置に長い紐をつける、又、リモコンをつける等の工夫がなされていたが、長い紐は邪魔で、衣類等にひっかかりスイッチ装置を破損するおそれもある、又、リモコン取付けは経済的負担も大きくなる欠点があった。
【０００６】
本発明は用途に合わせて長さ調整ができ、子供でも簡単に、安全に操作でき、費用的にも負担が少なく、シンプルな構造、見栄えの良い引き紐操作装置を提供することにある。
【課題を解決するための手段】
【０００７】
上記課題を解決するため、この発明は、定滑車と動滑車に掛けた紐とを組み合わせた滑車のしくみを活用し、複数の動滑車を使用することにより、摘み部と定滑車間の引き紐の長さを数倍にすることができ、引き紐の長さを十分にとることができ、布団に入った後に点灯消灯の操作が可能になる。
図で説明すると、上部定滑車部に２個の定滑車５、６、下部動滑車部に２個の動滑車７、８及び、滑車間に通した引き紐３からなる引き紐操作装置において、定滑車部Ａと摘み部Ｃ間の引き紐の長さ（Ｈ１）は引き紐を下方に引き下げることにより、定滑車部Ａと摘み部Ｃ間の引き紐の長さ（Ｈ２）は動滑車２個使用の場合、４倍となり、寝る前に布団に入って本などを読み終わった後に、照明の点灯、消灯の操作が可能になる。
【発明の効果】
【０００８】
本発明は次のような効果がある。
１．引き紐を伸ばした状態にする事で、布団に入った後に、照明の点灯、消灯の操作が可能になる。
【０００９】
２．引き紐を縮めた状態にする事で、邪魔にならず、紐に引っかかることも無く、安全である。
【発明を実施するための最良の形態】
【００１０】
以下、本発明の実施の形態を図１乃至図５に基づいて具体的に説明する。
【００１１】
図１は、本発明の実施の形態を示す引き紐操作装置の正面図であり、（ａ）図は摘み部Ｃを最下位まで引き下げ、引き紐３を最長にした状態を示し、（ｂ）図は下部動滑車部Ｂを引き下げ、摘み部Ｃが上昇し、引き紐３を最短にした状態を示した正面図。
【００１２】
図２は、引き紐を定滑車、動滑車に通す道筋を説明した略図である。
【００１３】
図３乃至図５は、引き紐走査装置の実施例の詳細を説明した図面である。
【００１４】
本発明の引き紐操作装置は、照明器具のスイッチ部に接続される照明用引き紐１に連結環２を介し、上部定滑車部Ａを連結、保持し、下部動滑車部Ｂ、及び摘み部Ｃを引き紐３により連結、保持する。
【００１５】
上部定滑車部Ａは、上部ケース９、上部カバー１０、定滑車５、６、スリーブ１３、引き紐用スリーブ１４、及び、取付けボルト１５から構成される。
下部動滑車部Ｂは、下部ケース１１、下部カバー１２、動滑車７、８、スリーブ６、及び、取付けボルト１５から構成される。
【００１６】
摘み部Ｃは、摘み４、引き紐３から構成され、引き紐３の片側の結び部３ａが摘み４の収納部４ａに収納、固定され、引き紐３のもう片方の結び部３ｂは動滑車７、８、定滑車５、６を介し上部カバー１０の引き紐用ロッド部９ｂに固定される。
【００１７】
引き紐操作装置の組立てる工程を、図３乃至図５に基づいて説明する。
まず、引き紐３の結び部３ｂを、上部ケース９の引き紐用ロッド部９ｂに挿入し、引き紐用スリーブ１４で押さえ、固定する。
【００１８】
上部ケース９上の定滑車用ロッド部９ａには、定滑車５、スリーブ１３、定滑車６と順次挿入し、次に下部ケース上の動滑車用ロッド部１１ａには、動滑車７、スリーブ１３、動滑車８と順次挿入する。
【００１９】
引き紐用ロッド部９ｂに固定されている引き紐３を起点にして、図２に示す引き紐道筋に従って動滑車７、定滑車５、動滑車８、定滑車６と順次引き紐３を通し、最後に、下部ケース１１の下部の溝へ通した後に、上部カバー１０、下部カバー１２により覆い押さえ、取付けボルト１５によりそれぞれのケース９、１１とカバー１０、１２を接続、固定する。
【００２０】
引き紐操作装置の操作は、上部滑車部Ａを固定し、上部定滑車部Ａと下部動滑車部Ｂとが密着するまで摘み部Ｃを引き下げることで引き紐を最長することができる。
下部動滑車部Ｂを、摘み部Ｃが上昇し、下部動滑車部Ｂに密着するまで引き下げることで引き紐を最短にすることができる。
【図面の簡単な説明】
【００２１】
【図１】本発明の引き紐操作装置の実施例を示し、（ａ）は引き紐を最長した正面図、（ｂ）は引き紐を最短した正面図。
【図２】本発明の引き紐操作装置の定滑車、動滑車に通す引き紐の道筋を示した略図。
【図３】本発明の引き紐操作装置の実施例の一部を断面した正面図。
【図４】本発明の引き紐操作装置の実施例の一部を断面した側面図。
【図５】本発明の引き紐操作装置の実施例のロッド部を断面した面図。
【符号の説明】
【００２２】
Ａ    上部定滑車部
Ｂ    下部動滑車部
Ｃ    摘み部
１  照明用引き紐
２  連結環
３  引き紐
４  摘み
５  定滑車
６  定滑車
７  動滑車
８  動滑車
９  上部ケース
１０  上部カバー
１１  下部ケース
１２  下部カバー
１３  スリーブ
１４  引き紐用スリーブ
１５  取付けボルト
３ａ  結び部
３ｂ  結び部
４ａ  収納部
９ａ  定滑車用ロッド部
９ｂ  引き紐用ロッド部
１１ａ  動滑車用ロッド部
【図１】
2006236722.tif 000003
【図２】
2006236722.tif 000004
【図３】
2006236722.tif 000005
【図４】
2006236722.tif 000006
【図５】
2006236722.tif 000007